(57)【特許請求の範囲】
【請求項１】
部屋の側壁に設けられた窪みの天井壁の長手方向に並設された複数の光源と、
計時部と、
前記複数の光源による照射領域を変化させる為に、前記複数の光源のうち前記長手方向の一端側の一部の光源のみの点灯と、前記複数の光源全ての点灯とを、前記計時部の計時結果に基き制御する制御部と
を備えることを特徴とする照明装置。
【請求項２】
前記制御部は、前記計時部の計時結果に基き、前記複数の光源のうち前記長手方向の一端側の一部の光源のみ、前記複数の光源全て、前記複数の光源のうち前記長手方向の他端側の一部の光源のみ、の順に点灯させることを特徴とする請求項１に記載の照明装置。
【請求項３】
前記制御部は、前記計時部の計時結果に基づき、前記光源を回動させて、前記照射領域を前記長手方向と直交する方向に変化させることを特徴とする請求項１又は２に記載の照明装置。
【請求項４】
前記窪みには、所定の画像を表示する表示部が設けられてあることを特徴とする請求項１から３の何れか１つに記載の照明装置。
【請求項５】
各光源は発光色の異なる複数種類のＬＥＤを備えており、
各光源の光色を制御可能に構成していることを特徴とする請求項１から４の何れか１つに記載の照明装置。
【発明の詳細な説明】
【技術分野】
【０００１】
本発明は、複数の光源を備えた照明装置に関する。
【背景技術】
【０００２】
近年は、暗闇を明るく照らすという照明装置本来の機能以外にも、夜の犯罪を未然に防止するという防犯機能、イルミネーションのように飾りとしての機能等を有する照明装置が開発されつつある。
【０００３】
また、このような傾向は、発光ダイオード（以下ＬＥＤと言う）技術の発展により、さらに強まってきている。
【０００４】
例えば、特許文献１では、雨樋部の長手方向に並設された照明器具が雨樋部から下方に照明光を出射するようにし、軒先からの防犯対策、足元照明、イルミネーション等の効果を有する夜間照明を実現できる照明組込み軒樋を提案している。
【特許文献１】特開２００７−９２２７５号公報
【発明の開示】
【発明が解決しようとする課題】
【０００５】
また、インテリア技術の一つとして、窓が設けられていない空間に擬似窓を設け、前記空間の中の人への安らぎ提供を図る技術が広く知られている。前記技術は、側壁に擬似窓を設けておき、該擬似窓の外側に外の風景が写っている写真又は絵を配置し、該写真又は絵を適宜照射することにより、まるで前記擬似窓を通じて外側が見えているように見せかけるものである。しかしながら、一般に窓を通じて入ってくる日差しの量、位置、色等は、時間の経過、つまり太陽の位置によって変化する。
【０００６】
従って、たとえ上記先行技術に記載の照明装置を用いて前記写真又は絵を静的に照射したとしても、窓の雰囲気を醸し出すことができず、目的とする安らぎ効果は期待し難かった。つまり、先行技術に記載の照明装置では、照射領域を調整することができず、太陽からの光が差し込む様子などを表現することができなかった。
【０００７】
本発明は、斯かる事情に鑑みてなされたものであり、その目的は、長手方向に複数の光源が配設されてなる照明装置において、前記光源の照射領域、照射方向、色温度、点灯状態、光色等からなる照明環境を変化させ、太陽光の差し込む様子や屋外の環境の時間的な変化を表現することができ、窓の雰囲気を醸し出すことが可能な照明装置を提供することにある。
【０００８】
また、本発明の他の目的は、計時手段を備え、該計時手段の計時結果に基づいて、前記複数の光源の並設方向における前記複数の光源の点灯、前記複数の光源の光色又は前記複数の光源の色温度を制御することが出来る照明装置を提供することにある。
【課題を解決するための手段】
【０００９】
本発明に係る照明装置は、長手方向に複数の光源が配設されてなる照明装置において、前記光源の照射領域、照射方向、色温度、点灯状態、光色等からなる照明環境を変化させる為に、前記光源を個々又は複数個毎に制御する制御部を有することを特徴とする。
【００１０】
本発明にあっては、太陽光の差し込む様子や部屋の外の環境の時間的な変化を表現することができ、窓の雰囲気を醸し出すことが可能となる。
【００１１】
本発明に係る照明装置は、部屋の側壁に設けられた窪みの天井壁の長手方向に並設された複数の光源と、計時部と、前記複数の光源による照射領域を変化させる為に、前記複数の光源のうち前記長手方向の一端側の一部の光源のみの点灯と、前記複数の光源全ての点灯とを、前記計時部の計時結果に基き制御する制御部とを備えることを特徴とする。
また、本発明に係る照明装置は、前記制御部は、前記計時部の計時結果に基き、前記複数の光源のうち前記長手方向の一端側の一部の光源のみ、前記複数の光源全て、前記複数の光源のうち前記長手方向の他端側の一部の光源のみ、の順に点灯させることを特徴とする。
また、本発明に係る照明装置は、前記制御部は、前記計時部の計時結果に基づき、前記光源を回動させて、前記照射領域を前記長手方向と直交する方向に変化させることを特徴とする。
更に、本発明に係る照明装置は、前記窪みには、所定の画像を表示する表示部が設けられてあることを特徴とする。
【００１２】
本発明にあっては、前記複数の光源による照射領域を前記長手方向に調整できるように構成し、必要に応じて前記照射領域の一部のみ又は全部が照射される。
【００１３】
本発明に係る照明装置は、前記複数の光源の点灯を制御可能に構成していることを特徴とする。
【００１４】
本発明にあっては、必要に応じて前記複数の光源の一部又は全部を点灯させる制御を行い、前記複数の光源による照射領域を前記長手方向に調整する。
【００１５】
本発明に係る照明装置は、長手方向に配設された複数の光源を備えた照明装置において、前記複数の光源による照射領域を長手方向と直交する方向に調整できるように構成していることを特徴とする。
【００１６】
本発明にあっては、前記複数の光源による照射領域を前記長手方向と直交する方向に調整できるように構成し、必要に応じて、前記複数の光源による照射領域を前記長手方向と直交する方向に変える。
【００１７】
本発明に係る照明装置は、前記長手方向を中心として前記複数の光源を回動させる機構を備えていることを特徴とする。
【００１８】
本発明にあっては、前記機構によって前記複数の光源が前記長手方向を中心として回動され、前記複数の光源による照射領域を前記長手方向と直交する方向に調整することが可能となる。
【００１９】
本発明に係る照明装置は、各光源は発光色が制御可能なＬＥＤを備えていることを特徴とする。
【００２０】
本発明にあっては、各光源が例えば電圧制御などによって異なる色に発光させることが出来るＬＥＤを備えるように構成し、電圧制御によって各光源の発光色を制御する。
【００２１】
本発明に係る照明装置は、各光源は発光色の異なる複数種類のＬＥＤを備えており、各光源の光色を制御可能に構成していることを特徴とする。
【００２２】
本発明にあっては、例えば、各光源が、赤色ＬＥＤと、緑色ＬＥＤと、青色ＬＥＤとからなるいわゆるマルチチップ方式の白色ＬＥＤを備え、これらの単独発光又は混光による発光が出来るように構成し、必要に応じて各光源の光色を制御する。
【００２３】
本発明に係る照明装置は、計時手段と、該計時手段の計時結果に基づいて、前記長手方向における前記複数の光源の点灯を制御する点灯制御手段とを備えていることを特徴とする。
【００２４】
本発明にあっては、前記計時手段の計時結果に基づいて、例えば、前記複数の光源の一部又は全部を点灯させることにより、前記長手方向における、前記複数の光源による照射領域を調整する。
【００２５】
本発明に係る照明装置は、計時手段と、該計時手段の計時結果に基づいて、前記複数の光源の光色を制御する発光色制御手段とを備えていることを特徴とする。
【００２６】
本発明にあっては、例えば、各光源が、赤色ＬＥＤと、緑色ＬＥＤと、青色ＬＥＤとからなるいわゆるマルチチップ方式の白色ＬＥＤを備え、これらの単独発光又は混光による発光が出来るように構成し、前記計時手段の計時結果に基づいて、各光源の光色を調整し、前記複数の光源の光色を制御する。
【００２７】
本発明に係る照明装置は、計時手段と、該計時手段の計時結果に基づいて、前記複数の光源の光の色温度を制御する色温度制御手段とを備えていることを特徴とする。
【００２８】
本発明にあっては、例えば、各光源が、赤色ＬＥＤと、緑色ＬＥＤと、青色ＬＥＤとからなるいわゆるマルチチップ方式の白色ＬＥＤを備え、これらをＰＷＭ（パルス幅変調）することにより、前記計時手段の計時結果に基づいて、各光源の光色を調整し、前記複数の光源の光の色温度を制御する。
【００２９】
本発明に係る照明装置は、計時手段と、該計時手段の計時結果に基づいて、前記複数の光源による照射領域を、前記複数の光源の長手方向に調整する第１光源調整手段とを備えていることを特徴とする。
【００３０】
本発明にあっては、例えば、各光源の向きを前記複数の光源の長手方向に操作出来る機構を設け、前記計時手段の計時結果に基づいて、前記機構の制御を行い、前記複数の光源による照射領域を、前記長手方向に調整する。
【００３１】
本発明に係る照明装置は、計時手段と、該計時手段の計時結果に基づいて、前記複数の光源による照射領域を、前記長手方向と直交する方向に調整する第２光源調整手段とを備えていることを特徴とする。
【００３２】
本発明にあっては、例えば、前記長手方向を中心として前記複数の光源を回動させる機構を設け、前記計時手段の計時結果に基づいて、前記機構の回動制御を行い、前記複数の光源による照射領域を、前記長手方向と直交する方向に調整する。
【発明の効果】
【００３３】
本発明によれば、太陽光の差し込む様子や屋外の環境の時間的な変化を表現することができ、窓の雰囲気を醸し出すことが可能となる。
【００３４】
本発明によれば、備えた計時手段の計時結果に基づいて、前記複数の光源が配設される長手方向における前記複数の光源の点灯、前記複数の光源の光色又は前記複数の光源の色温度を制御することが出来る。
【発明を実施するための最良の形態】
【００３５】
（実施の形態１）
以下、本発明の実施の形態１を、図面を参照して説明する。説明の便宜上、部屋に飾られた写真を照らす照明を、本発明の実施の形態１に係る照明装置の例として説明する。図１は本発明の実施の形態１に係る照明装置１が設置された場合を例示する例示図である。
【００３６】
ある部屋の側壁Ｗには、矩形の底を有する窪みＨが設けられている。窪みＨは、前記底の面方向と直交する方向に立ち上がる天井壁ＵＳと、側壁ＬＳ、ＲＳと、天井壁ＵＳと対向する底壁Ｃとからなる。天井壁ＵＳには本発明の実施の形態１に係る照明装置１が設けられており、図中天井壁ＵＳに対して左側が側壁ＬＳであり、右側が側壁ＲＳである。また、窪みＨの前記底の上には、風景が写された写真Ｆが配置されており、写真Ｆは縁部が擬似窓ＩＷにより囲まれている。擬似窓ＩＷには、外観から窓のように見せかけるためのデザインが施されている。つまり、写真Ｆに写っている風景が窓（擬似窓ＩＷ）通じて見える外側の風景であるように見せかけることにより、前記部屋の中の人に対して安らぎを与える効果を図るものである。また、説明の便宜上、前記部屋は、擬似窓ＩＷの左方向が東方向であり、右方向が西方向であるとする。
【００３７】
図２は本発明の実施の形態１に係る照明装置１が設置された状態を示す図、図３は本発明の実施の形態１に係る照明装置１の一部を省略して示す斜視図である。
【００３８】
実施の形態１に係る照明装置１は、天井壁ＵＳに設けられた矩形の設置孔ＵＳ１，ＵＳ２を介して一部が露出されるように、天井壁ＵＳに埋め込まれている。
【００３９】
実施の形態１に係る照明装置１は、１２個の光源モジュール１０Ａ，１０Ｂ，１０Ｃ，１０Ｄ，１０Ｅ，１０Ｆ，１０Ｇ，１０Ｈ，１０Ｉ，１０Ｊ，１０Ｋ，１０Ｌを有する光源１０を備えている。光源１０はトレー状の収納部１２に収容されており、各光源モジュールは等間隔に隔てて並設されている（並設される方向は照明装置１の長手方向に対応する）。また、照明装置１は、光源１０を駆動するための駆動回路部１４と、光源１０からの熱を放熱するための複数の放熱フィン１３，１３，…と、光源１０の並設方向を中心として周方向に収容部１２（光源１０）を回動させるための回動機構５０とを備えている。
【００４０】
回動機構５０は、回動軸５，５と、回動軸５を回転させるためのツマミ２と、ツマミ２の回転を一時静止させる板バネ３とを備えている。
【００４１】
光源モジュール１０Ａ，１０Ｂ，１０Ｃ，…１０Ｊ，１０Ｋ，１０Ｌは、矩形のセラミック基板の表側の中央部に、複数の０．１ＷのＬＥＤ１０１，１０１，…（スモールチップ）が密集して実装されている。前記セラミック基板の対向する何れか２つの頂点には、ネジ止めのための貫通孔（図示せず）が設けられ、各光源モジュールは収容部１２にネジ止めされている。
【００４２】
ＬＥＤ１０１，１０１，…は、赤色ＬＥＤ、緑色ＬＥＤ及び青色ＬＥＤ（図示せず）とからなるいわゆるマルチチップ方式の白色ＬＥＤである。また、赤色ＬＥＤと、緑色ＬＥＤと、青色ＬＥＤは、後述の調光部２０によって夫々個別発光制御が出来るように構成されている。
【００４３】
収容部１２は、長さ１５３０ｍｍ、幅８０ｍｍの矩形の底１２１を有しており、底１２１と対向する一面が開口されている。光源モジュール１０Ａ，１０Ｂ，１０Ｃ，…１０Ｊ，１０Ｋ，１０Ｌの光は前記開口を介して外側へ出射される。収容部１２は前記開口側の縁が天井壁ＵＳと略面一になるように設けられている。
【００４４】
収容部１２の前記開口側の縁には、隠し鍔１１が周設されている。隠し鍔１１は天井壁ＵＳの設置孔ＵＳ１の大きさより大きく、照明装置１を天井壁ＵＳに取り付けた際、天井壁ＵＳの裏側に配設される。従って、設置孔ＵＳ１を介して外から照明装置１の裏側が見えないように隠し、見栄えが悪くなることを防ぐことが出来る。
【００４５】
収容部１２の底１２１の裏側には、駆動回路部１４及び複数の放熱フィン１３，１３，…が取り付けられている。駆動回路部１４は、各光源モジュールに電源を供給するための回路を有しており、該回路は絶縁性の合成樹脂で覆われている。一方、複数の放熱フィン１３，１３，…は収容部１２の底１２１の長手方向に適宜隔てて配置されており、各放熱フィン１３，１３，…は３枚の矩形のアルミニウム製の放熱板を備えている。３枚の放熱板は収容部１２の底１２１の面方向と直交する方向に突出しており、各放熱板が面対向するように並設されている。光源１０が発する熱は、収容部１２の底１２１を介して放熱フィン１３に伝達され、外気中に放出される。
【００４６】
収容部１２の長手方向の両端部には、回動軸５の一端が固定される軸固定板１５が設けられている。（図３には右側の一端部のみを図示している）軸固定板１５は収容部１２の底１２１の裏側に、底１２１の面方向と直交する方向に突設されている。また、軸固定板１５は突出先に向かって狭幅となっており、先端部に回動軸５の一端が固定されている。
【００４７】
回動軸５は、一端が軸固定板１５に固定されており、他端は天井壁ＵＳに回動可能に支持されている。つまり、回動軸５を回転させることにより、収容部１２が回転されるので、収容部１２に収容されている光源１０の配光が変り、光源１０による照射領域が光源１０の並設方向（長手方向）と直交する方向に変わることとなる。
【００４８】
回動軸５の中途には、回動軸５を回動させるためのツマミ２が設けられている。ツマミ２は底を有する円筒であり、前記底と対向する一面が開口している。前記底の中央には貫通孔２１を設けており、貫通孔２１を回動軸５が貫通している。回動軸５はツマミ２に固定されている。一方、ツマミ２の外周面には、ツマミ２の回転操作における使用者の便宜を図るため、複数の長穴形状の窪みが高さ方向に並設さられている。ツマミ２の前記開口側の周縁には、半円形の切欠２２，２２，…が複数周設されている。天井壁ＵＳに取り付けられた板バネ３が切欠２２，２２，…に引っ掛かることにより、ツマミ２の回動が静止される。また、ツマミ２に板バネ３のバネ力より大きい力を加えることにより、ツマミ２を回動させることが出来る。
【００４９】
図２に示すように、ツマミ２は外周面の一部が、設置孔ＵＳ２を介して露出されるように設けられており、使用者はツマミ２の露出された部分を回す操作をすることにより、前述したように、収容部１２に収容されている光源１０の配光を変え、光源１０による照射領域を、光源１０の並設方向と直交する方向に変えることが出来る。また、収容部１２及び隠し鍔１１と、天井壁ＵＳの設置孔ＵＳ１との間には少し隙間を設け、回動軸５を軸とする周方向に収容部１２の回動ができるように構成している。
【００５０】
なお、必要に応じて、収容部１２の前記開口側を覆い、光源１０からの光を均一に外側に出射させる拡散板を設けても良い。
【００５１】
図４は本発明の実施の形態１に係る照明装置１の配光曲線を示す図である。前記配光曲線は光源から出てくる光が、どの方向にどれだけの強さで出ているかを表わすものである。図４は光源１０の並設方向と平行する断面（通称Ｂ断面）における光の強さを示している。（図中にはハッチングにて表示している。）
【００５２】
本発明に係る照明装置１は、配光範囲、つまり光源１０からの光の広がり（図中ΔＷとして表示）が２０度以下となるように構成されている。これは光源１０からの光が写真Ｆに直接当たって反射されることによる不具合を防止するためである。より望ましくはΔＷを１８度にした方が良い。なお、配光範囲は、底壁の幅等の条件によって、適宜調整できることが好ましく、配光範囲を絞るためにレンズを用いて集光させてもよい。
【００５３】
図５は本発明の実施の形態１に係る照明装置１の要部構成を示すブロック図である。
【００５４】
本発明の実施の形態１に係る照明装置１は、光源モジュール１０Ａ，１０Ｂ，１０Ｃ，…１０Ｊ，１０Ｋ，１０Ｌからなる光源１０と、光源モジュール１０Ａ，１０Ｂ，１０Ｃ，…１０Ｊ，１０Ｋ，１０Ｌの点灯を制御する制御部４０と、制御部４０の指示によって光源モジュール１０Ａ，１０Ｂ，１０Ｃ，…１０Ｊ，１０Ｋ，１０Ｌの点灯・消灯、色温度、光色等を調整する調光部２０（例えば駆動回路）と、計時を行なう計時部３０とを備えている。
【００５５】
制御部４０はＣＰＵを有しており、前記ＣＰＵは計時部３０の計時結果に基づき、光源モジュール１０Ａ，１０Ｂ，１０Ｃ，…１０Ｊ，１０Ｋ，１０Ｌの一部又は全部を点灯する指示、光源モジュール１０Ａ，１０Ｂ，１０Ｃ，…１０Ｊ，１０Ｋ，１０Ｌの色温度を所定値に制御する指示、光源モジュール１０Ａ，１０Ｂ，１０Ｃ，…１０Ｊ，１０Ｋ，１０Ｌの光色を所定色に制御する指示等を、調光部２０に対して行う。
【００５６】
調光部２０は、ＣＰＵの指示に従って、光源モジュール１０Ａ，１０Ｂ，１０Ｃ，…１０Ｊ，１０Ｋ，１０Ｌの点灯・消灯及び、光源モジュール１０Ａ，１０Ｂ，１０Ｃ，…１０Ｊ，１０Ｋ，１０Ｌの色温度、光色等の調整を行う。特に、色温度、光色等の照明環境の調整は、例えば各光源の赤色ＬＥＤ、緑色ＬＥＤ及び青色ＬＥＤをＰＷＭ（パルス幅変調）制御することにより、行われる。
【００５７】
図６は本発明の実施の形態１に係る照明装置１のＣＰＵの処理手順を示すフローチャートである。
【００５８】
まず、ＣＰＵは電源オン指示を取得したか否かを判定する（Ｓ１０１）。ＣＰＵは電源オン指示を取得していないと判定した場合（Ｓ１０１：ＮＯ）、前記指示を取得するまで待つ。一方、ＣＰＵは電源オン指示を取得したと判定した場合（Ｓ１０１：ＹＥＳ）、計時部３０に現時刻の計時を指示する（Ｓ１０２）。
【００５９】
次いでＣＰＵは、計時部３０による計時結果に基づき、現時刻が６時以降８時前であるか否かを判定する（Ｓ１０３）。ＣＰＵは現時刻が６時以降８時前（朝に該当する場合）でないと判定した場合（Ｓ１０３：ＮＯ）、Ｓ１０６に進む。一方、ＣＰＵは現時刻が６時以降８時前であると判定した場合（Ｓ１０３：ＹＥＳ）、光源１０の点灯制御を行う（Ｓ１０４）。光源１０の点灯制御は、光源モジュール１０Ｊ，１０Ｋ，１０Ｌのみを白色に点灯させるように調光部２０に指示することにより行われる。ＣＰＵの指示に従い、調光部２０は光源モジュール１０Ｊ，１０Ｋ，１０Ｌのみを白色に点灯させ、底壁Ｃは光源モジュール１０Ｊ，１０Ｋ，１０Ｌの直下部分のみが明るく照射される。図７はＳ１０４におけるＣＰＵの点灯制御結果を示す図である。
【００６０】
上述したように、実施の形態１に係る照明装置１が設置された前記部屋は、図中左方向が東である。一方、６時以降８時前の時刻には太陽が東方向に位置するので、もし、実際に擬似窓ＩＷを介して太陽の日差しが入るとした場合、側壁ＬＳ側の底壁Ｃには側壁ＬＳの影が生じ、側壁ＲＳ側の底壁Ｃのみが明るくなる。つまり、光源モジュール１０Ｊ，１０Ｋ，１０Ｌのみを点灯させ、底壁Ｃにおいて光源モジュール１０Ｊ，１０Ｋ，１０Ｌの直下部分のみを明るく照射することにより、前述したような朝日の日差しの入射を演出することが出来る。
【００６１】
次いで、ＣＰＵは、光源１０の色温度の制御を行う（Ｓ１０５）。光源１０の色温度の制御は、光源モジュール１０Ｊ，１０Ｋ，１０Ｌの色温度を例えば５０００Ｋにするように、調光部２０に指示することにより行われる。ＣＰＵの指示に従い、調光部２０はＰＷＭ制御を行うことにより、光源モジュール１０Ｊ，１０Ｋ，１０Ｌの色温度を５０００Ｋに調整する。なお、点灯制御（Ｓ１０４）と色温度制御（Ｓ１０５）のステップは、順に処理される必要はなく、同時に並行して処理されてもよい。以下の実施の形態でも同様である。
【００６２】
一方、Ｓ１０３にてＣＰＵが現時刻を６時以降８時前でないと判定した場合は、現時刻が８時以降１６時前（昼に該当する場合）であるか否かを判定する（Ｓ１０６）。ＣＰＵは現時刻が８時以降１６時前でないと判定した場合（Ｓ１０６：ＮＯ）、Ｓ１０９に進む。一方、ＣＰＵは現時刻が８時以降１６時前であると判定した場合（Ｓ１０６：ＹＥＳ）、光源１０の点灯制御を行う（Ｓ１０７）。光源１０の点灯制御は、光源モジュール１０Ａ，１０Ｂ，１０Ｃ，…１０Ｊ，１０Ｋ，１０Ｌの全てを白色に点灯させるように調光部２０に指示することにより行われる。ＣＰＵの指示に従い、調光部２０は全ての光源モジュール１０Ａ，１０Ｂ，１０Ｃ，…１０Ｊ，１０Ｋ，１０Ｌを白色に点灯させ、底壁Ｃは全面にかけて明るく照射される。図８はＳ１０７におけるＣＰＵの点灯制御結果を示す図である。
【００６３】
従って、前記部屋に対して太陽が南方向、つまり擬似窓ＩＷの正面方向に位置する時刻が８時以降１６時前の間の場合には、側壁ＬＳ及び側壁ＲＳによる影が生じることなく、擬似窓ＩＷを通じて日差しが入っていることを演出することが出来る。
【００６４】
次いで、ＣＰＵは、光源１０の色温度の制御を行う（Ｓ１０８）。光源１０の色温度の制御は、全ての光源モジュール１０Ａ，１０Ｂ，１０Ｃ，…１０Ｊ，１０Ｋ，１０Ｌの色温度を例えば６８００Ｋにするように、調光部２０に指示することにより行われる。ＣＰＵの指示に従い、調光部２０はＰＷＭ制御を行うことにより、全ての光源モジュール１０Ａ，１０Ｂ，１０Ｃ，…１０Ｊ，１０Ｋ，１０Ｌの色温度を６８００Ｋに調整する。つまり、６時以降８時前の場合の５０００Ｋに比べて少し明るい６８００Ｋにすることにより、現時点が昼であることを演出することが出来る。
【００６５】
一方、Ｓ１０６にてＣＰＵが現時刻を８時以降１６時前（昼に該当する場合）でないと判定した場合は、現時刻が１６時以降１８時前であるか否かを判定する（Ｓ１０９）。ＣＰＵは現時刻が１６時以降１８時前でないと判定した場合（Ｓ１０９：ＮＯ）、Ｓ１１２に進む。一方、ＣＰＵは現時刻が１６時以降１８時前であると判定した場合（Ｓ１０９：ＹＥＳ）、光源１０の点灯制御を行う（Ｓ１１０）。光源１０の点灯制御は、光源モジュール１０Ａ，１０Ｂ，１０Ｃのみを白色に点灯させるように調光部２０に指示することにより行われる。ＣＰＵの指示に従い、調光部２０は光源モジュール１０Ａ，１０Ｂ，１０Ｃのみを白色に点灯させ、底壁Ｃは光源モジュール１０Ａ，１０Ｂ，１０Ｃの直下部分のみが明るく照射される。図９はＳ１１０におけるＣＰＵの点灯制御結果を示す図である。
【００６６】
１６時以降１８時前の時刻には太陽が西方向（図中右方向）に位置するので、もし、実際に擬似窓ＩＷを介して太陽の日差しが入るとした場合、側壁ＲＳ側の底壁Ｃには側壁ＲＳの影が生じ、側壁ＬＳ側の底壁Ｃのみが明るくなる。つまり、光源モジュール１０Ａ，１０Ｂ，１０Ｃのみを点灯させ、底壁Ｃにおいて光源モジュール１０Ａ，１０Ｂ，１０Ｃの直下部分のみを明るく照射することにより、前述したような夕方の日差しの入射を演出することが出来る。
【００６７】
次いで、ＣＰＵは、光源１０の色温度の制御を行う（Ｓ１１１）。光源１０の色温度の制御は、光源モジュール１０Ａ，１０Ｂ，１０Ｃの色温度を例えば２８００Ｋにするように、調光部２０に指示することにより行われる。ＣＰＵの指示に従い、調光部２０はＰＷＭ制御を行うことにより、光源モジュール１０Ａ，１０Ｂ，１０Ｃの色温度を２８００Ｋにする。つまり、８時以降１６時前の６８００Ｋに比べて低い２８００Ｋにすることにより、現時点が太陽の沈む夕方であることを演出することが出来る。
【００６８】
一方、ＣＰＵが現時刻を１６時以降１８時前でないと判定した場合（Ｓ１０９：ＮＯ）、ＣＰＵはＳ１１２に進み、光源１０を消灯させるように調光部２０に指示する。ＣＰＵの指示に従って、調光部２０は光源１０を消灯させる。従って、前記部屋の室内照明のみによって暗く写真Ｆが照明され、現時点が夜であることを演出する。
【００６９】
Ｓ１０５、Ｓ１０８、Ｓ１１１又はＳ１１２の何れかの処理が終了した場合、ＣＰＵは電源オフ指示を取得したか否かを判定する（Ｓ１１３）。ＣＰＵは電源オフ指示を取得していないと判定した場合（Ｓ１１３：ＮＯ）、Ｓ１０２に戻る。一方、電源オフ指示を取得したと判定した場合（Ｓ１１３：ＹＥＳ）、処理を終了する。
【００７０】
（実施の形態２）
図１０は本発明の実施の形態２に係る照明装置１のＣＰＵの処理手順を示すフローチャートである。なお、実施の形態１と同一の部分については同一の符号を付してその詳細な説明を省略する。
【００７１】
まず、ＣＰＵは電源オン指示を取得したか否かを判定する（Ｓ２０１）。ＣＰＵは電源オン指示を取得していないと判定した場合（Ｓ２０１：ＮＯ）、前記指示を取得するまで待つ。一方、ＣＰＵは電源オン指示を取得したと判定した場合（Ｓ２０１：ＹＥＳ）、計時部３０に現時刻の計時を指示する（Ｓ２０２）。
【００７２】
次いでＣＰＵは、計時部３０による計時結果に基づき、現時刻が６時以降８時前であるか否かを判定する（Ｓ２０３）。ＣＰＵは現時刻が６時以降８時前であると判定した場合（Ｓ２０３：ＹＥＳ）、光源１０の点灯制御を行う（Ｓ２０４）。光源１０の点灯制御は、光源モジュール１０Ｊ，１０Ｋ，１０Ｌのみを点灯させるように調光部２０に指示することにより行われる。
【００７３】
次いで、ＣＰＵは、光源１０の光色の照明環境の制御を行う（Ｓ２０５）。光源１０の光色の制御は、光源モジュール１０Ｊ，１０Ｋ，１０Ｌの光色を例えば黄色にするように、調光部２０に指示することにより行われる。ＣＰＵの指示に従い、調光部２０は光源モジュール１０Ｊ，１０Ｋ，１０Ｌ夫々の赤色ＬＥＤ、緑色ＬＥＤ及び青色ＬＥＤをＰＷＭ（パルス幅変調）制御することにより、光源モジュール１０Ｊ，１０Ｋ，１０Ｌの光色を黄色にする。従って、闇から徐々に太陽が昇るような効果を演出することが出来る。
【００７４】
一方、Ｓ２０３にてＣＰＵが現時刻を６時以降８時前でないと判定した場合は、現時刻が８時以降１６時前であるか否かを判定する（Ｓ２０６）。ＣＰＵは現時刻が８時以降１６時前であると判定した場合（Ｓ２０６：ＹＥＳ）、光源１０の点灯制御を行う（Ｓ２０７）。光源１０の点灯制御は、光源モジュール１０Ａ，１０Ｂ，１０Ｃ，…１０Ｊ，１０Ｋ，１０Ｌの全てを点灯させるように調光部２０に指示することにより行われる。
【００７５】
次いで、ＣＰＵは、光源１０の光色の制御を行う（Ｓ２０８）。光源１０の光色の制御は、全ての光源モジュール１０Ａ，１０Ｂ，１０Ｃ，…１０Ｊ，１０Ｋ，１０Ｌの光色を例えば白色にするように、調光部２０に指示することにより行われる。ＣＰＵの指示に従い、調光部２０は全ての光源モジュール１０Ａ，１０Ｂ，１０Ｃ，…１０Ｊ，１０Ｋ，１０Ｌ夫々の赤色ＬＥＤ、緑色ＬＥＤ及び青色ＬＥＤをＰＷＭ制御することにより、全ての光源モジュール１０Ａ，１０Ｂ，１０Ｃ，…１０Ｊ，１０Ｋ，１０Ｌの光色を白色にする。
【００７６】
一方、Ｓ２０６にてＣＰＵが現時刻を８時以降１６時前でないと判定した場合は、現時刻が１６時以降１８時前であるか否かを判定する（Ｓ２０９）。ＣＰＵは現時刻が１６時以降１８時前でないと判定した場合（Ｓ２０９：ＮＯ）、Ｓ２１２に進み、光源１０を消灯させるように調光部２０に指示する。一方、ＣＰＵは現時刻が１６時以降１８時前であると判定した場合（Ｓ２０９：ＹＥＳ）、光源１０の点灯制御を行う（Ｓ２１０）。光源１０の点灯制御は、光源モジュール１０Ａ，１０Ｂ，１０Ｃのみを点灯させるように調光部２０に指示することにより行われる。
【００７７】
次いで、ＣＰＵは、光源１０の光色の制御を行う（Ｓ２１１）。光源１０の光色の制御は、光源モジュール１０Ａ，１０Ｂ，１０Ｃの光色を例えば赤色にするように、調光部２０に指示することにより行われる。ＣＰＵの指示に従い、調光部２０は光源モジュール１０Ａ，１０Ｂ，１０Ｃ夫々の赤色ＬＥＤ、緑色ＬＥＤ及び青色ＬＥＤをＰＷＭ制御することにより、光源モジュール１０Ａ，１０Ｂ，１０Ｃの光色を赤色にする。従って、赤い夕日の日差しを演出することが出来る。
【００７８】
Ｓ２０５、Ｓ２０８、Ｓ２１１又はＳ２１２の何れかの処理が終了した場合、ＣＰＵは電源オフ指示を取得したか否かを判定する（Ｓ２１３）。ＣＰＵは電源オフ指示を取得していないと判定した場合（Ｓ２１３：ＮＯ）、Ｓ２０２に戻る。一方、電源オフ指示を取得したと判定した場合（Ｓ２１３：ＹＥＳ）、処理を終了する。
【００７９】
上記においては、光源１０の光色の制御がＰＷＭ（パルス幅変調）制御にて行われる場合について説明したがこれに限りものでなく、電圧制御によって行っても良い。
【００８０】
実施の形態１及び実施の形態２においては、複数の光源モジュール１０Ａ，１０Ｂ，１０Ｃ，…１０Ｊ，１０Ｋ，１０Ｌが収容部１２に固定されている場合について説明したが、これに限るものでない。例えば、各光源モジュールがモータ等の駆動により、配光を操作できるように構成しても良い。
【００８１】
（実施の形態３）
実施の形態３に係る照明装置１は、収容部１２（光源１０）を回動させるための回動機構５０が、駆動モータ（図示せず）を備えている。詳しくは、ツマミ２が駆動モータによって回動操作されるように構成されている。また、調光部２０は、制御部４０のＣＰＵの指示に応じて、前記駆動モータを正回転又は負回転させる。説明の便宜上、光源１０が真下を照射している場合を回動角０度とし、部屋の内側への回転を陽方向への回転とし、部屋の外側への回転を陰方向への回転とする。また、前記駆動モータが正回転する場合、光源１０は陽方向に回動し、前記駆動モータが負回転する場合、光源１０は陰方向に回動することにする。なお、実施の形態３に係る照明装置１の光源１０は、回動角０度をデフォルトとする。
【００８２】
図１１は本発明の実施の形態３に係る照明装置１のＣＰＵの処理手順を示すフローチャートである。
【００８３】
まず、ＣＰＵは電源オン指示を取得したか否かを判定する（Ｓ３０１）。ＣＰＵは電源オン指示を取得していないと判定した場合（Ｓ３０１：ＮＯ）、前記指示を取得するまで待つ。一方、ＣＰＵは電源オン指示を取得したと判定した場合（Ｓ３０１：ＹＥＳ）、計時部３０に現時刻の計時を指示する（Ｓ３０２）。また、光源１０をデフォルトに合わせて調整する。
【００８４】
次いでＣＰＵは、計時部３０による計時結果に基づき、現時刻が６時以降８時前であるか否かを判定する（Ｓ３０３）。ＣＰＵは現時刻が６時以降８時前でないと判定した場合（Ｓ３０３：ＮＯ）、Ｓ３０７に進む。一方、ＣＰＵは現時刻が６時以降８時前であると判定した場合（Ｓ３０３：ＹＥＳ）、光源１０の点灯制御を行い（Ｓ３０４）、光源モジュール１０Ｊ，１０Ｋ，１０Ｌのみを白色に点灯させる。従って、底壁Ｃは光源モジュール１０Ｊ，１０Ｋ，１０Ｌの直下部分のみが明るく照射される（図７参照）。
【００８５】
次いで、ＣＰＵは、光源１０の色温度の照明環境の制御を行い（Ｓ３０５）、光源モジュール１０Ｊ，１０Ｋ，１０Ｌの色温度を例えば５０００Ｋにする。
【００８６】
また、ＣＰＵは光源１０を回動させ、光源１０の照射領域を並設方向と直交する方向に変える光源調整を行う（Ｓ３０６）。前記光源調整は、光源１０を陽方向に１０度回動させるように、調光部２０に指示することによって行われる。ＣＰＵの指示に従って、調光部２０は前記駆動モータを正回転させてツマミ２０を回転させ、光源１０を陽方向に１０度回動させる。
【００８７】
一方、Ｓ３０３にてＣＰＵが現時刻を６時以降８時前でないと判定した場合は、現時刻が８時以降１６時前であるか否かを判定する（Ｓ３０７）。ＣＰＵは現時刻が８時以降１６時前でないと判定した場合（Ｓ３０７：ＮＯ）、Ｓ３１１に進む。一方、ＣＰＵは現時刻が８時以降１６時前であると判定した場合（Ｓ３０７：ＹＥＳ）、光源１０の点灯制御を行い（Ｓ３０８）、光源モジュール１０Ａ，１０Ｂ，１０Ｃ，…１０Ｊ，１０Ｋ，１０Ｌの全てを白色に点灯させ、底壁Ｃは、全ての光源モジュール１０Ａ，１０Ｂ，１０Ｃ，…１０Ｊ，１０Ｋ，１０Ｌの真下が明るく照射される（図８参照）。
【００８８】
次いで、ＣＰＵは、光源１０の色温度の制御を行い（Ｓ３０９）、全ての光源モジュール１０Ａ，１０Ｂ，１０Ｃ，…１０Ｊ，１０Ｋ，１０Ｌの色温度を、６時以降８時前の場合の５０００Ｋに比べて少し明るい例えば６８００Ｋにする。
【００８９】
また、ＣＰＵは光源１０を回動させ、光源１０の照射領域を並設方向と直交する方向に変える光源調整を行う（Ｓ３１０）。前記光源調整は、光源１０を陰方向に１５度回動させるように、調光部２０に指示することによって行われる。ＣＰＵの指示に従って、調光部２０は記駆動モータを負回転させてツマミ２０を回転させ、光源１０を負方向に１５度回動させる。従って、光源１０は真下より外側、つまり底壁Ｃにおいては奥側を照射するようになり、太陽が高い昼頃を演出する。
【００９０】
一方、Ｓ３０７にてＣＰＵが現時刻を８時以降１６時前でないと判定した場合は、現時刻が１６時以降１８時前であるか否かを判定する（Ｓ３１１）。ＣＰＵは現時刻が１６時以降１８時前でないと判定した場合（Ｓ３１１：ＮＯ）、Ｓ３１５に進む。一方、ＣＰＵは現時刻が１６時以降１８時前であると判定した場合（Ｓ３１１：ＹＥＳ）、光源１０の点灯制御を行い（Ｓ３１２）、光源モジュール１０Ａ，１０Ｂ，１０Ｃのみを白色に点灯させ、底壁Ｃは光源モジュール１０Ａ，１０Ｂ，１０Ｃの直下部分のみが明るく照射される（図９参照）。
【００９１】
次いで、ＣＰＵは、光源１０の色温度の制御を行い（Ｓ３１３）、光源モジュール１０Ａ，１０Ｂ，１０Ｃの色温度を、８時以降１６時前の６８００Ｋに比べて低い例えば２８００Ｋにする。
【００９２】
また、ＣＰＵは光源１０を回動させ、光源１０の照射領域を並設方向と直交する方向に変える光源調整を行う（Ｓ３１４）。前記光源調整は、光源１０を陽方向に１５度回動させるように、調光部２０に指示することによって行われる。ＣＰＵの指示に従って、調光部２０は前記駆動モータを正回転させてツマミ２０を回転させ、光源１０を陽方向に１５度回動させる。
【００９３】
一方、ＣＰＵが現時刻を１６時以降１８時前でないと判定した場合（Ｓ３１１：ＮＯ）、ＣＰＵはＳ３１５に進み、光源１０を消灯させるように調光部２０に指示する。ＣＰＵの指示に従って、調光部２０は光源１０を消灯させる。従って、前記部屋の室内照明にのみよって暗く写真Ｆが照明され、現時点が夜であることを演出する。
【００９４】
Ｓ３０６、Ｓ３１０、Ｓ３１４又はＳ３１５の何れかの処理が終了した場合、ＣＰＵは電源オフ指示を取得したか否かを判定する（Ｓ３１６）。ＣＰＵは電源オフ指示を取得していないと判定した場合（Ｓ３１６：ＮＯ）、Ｓ３０２に戻る。一方、電源オフ指示を取得したと判定した場合（Ｓ３１６：ＹＥＳ）、処理を終了する。
【００９５】
実施の形態３においては、複数の光源モジュール１０Ａ，１０Ｂ，１０Ｃ，…１０Ｊ，１０Ｋ，１０Ｌが収容部１２に固定されている場合について説明したが、これに限るものでない。例えば、各光源モジュールがモータ等の駆動により、光源１０の並設方向を中心として光源１０を回動させる操作ができるように構成しても良い。
【００９６】
（実施の形態４）
本発明の実施の形態４に係る照明装置１は、複数の光源モジュール１０Ａ，１０Ｂ，１０Ｃ，…１０Ｊ，１０Ｋ，１０Ｌが並設方向に沿って向きを変えることが出来るように構成されており、制御部４０のＣＰＵの指示に従って、調光部２０が複数の光源モジュール１０Ａ，１０Ｂ，１０Ｃ，…１０Ｊ，１０Ｋ，１０Ｌの向きを変える操作を行う。
【００９７】
図１２は本発明の実施の形態４に係る照明装置１の光源１０の向き操作を説明するための一部省略した説明図である。実施の形態１及び実施の形態２と同一の部分については同一の符号を付してその詳細な説明を省略する。
【００９８】
実施の形態４に係る照明装置１は、各光源ジュール１０Ａ，１０Ｂ，１０Ｃ，…１０Ｊ，１０Ｋ，１０Ｌはが取り付けられた複数の回動部材１２２，１２２…と、各回動部材１２２，１２２…を回動させる可動バー１２３と、可動バー１２３を可動させる可動機構６０とを備えている。
【００９９】
収容部１２の底１２１の裏側には後述する下部回動軸１２５が固定される固定板１２８を設けている。固定板１２８は適宜幅を有する細長い矩形であり、長手方向が収容部１２の底１２１の長手方向と平行するように、収容部１２の底１２１の面方向と直交する方向に突設されている。また、収容部１２の底１２１には、複数の矩形の切欠１２７，１２７、…を設けており、切欠１２７，１２７、…は各光源モジュールに倣う形状であるが各光源モジュールより大きい寸法である。切欠１２７，１２７、…を介して各回動部材１２２，１２２…に取り付けられた光源モジュール１０Ａ，１０Ｂ，１０Ｃ，…１０Ｊ，１０Ｋ，１０Ｌが露出されている。
【０１００】
回動部材１２２，１２２…は縦断面Ｔ字状を有しており、倒立した状態で収容部１２に取り付けられている。各回動部材１２２，１２２…は、光源モジュール１０Ａ，１０Ｂ，１０Ｃ，…１０Ｊ，１０Ｋ，１０Ｌと等しい大きさの下面を有する扁平な直方体形状の下部と、該下部の上面に突設された直方体形状の上部とからなる。各回動部材１２２，１２２…の下部の前記下面には各光源モジュールが取り付けられている。各回動部材１２２，１２２…の下部及び上部は、夫々下部回動軸１２５及び上部回動軸１２４により、光源１０の並設方向と直交する方向に貫通されている。各回動部材１２２，１２２…は下部回動軸１２５及び回動軸１２４によって回動可能に支持されている。下部回動軸１２５及び回動軸１２４は一端が固定板１２８及び可動バー１２３に夫々固定されている。
【０１０１】
可動バー１２３は、細長い板状であり、長辺側の一側面が収容部１２の底１２１と対向する状態で、収容部１２の底１２１の長手方向と平行するように配設されている。可動バー１２３の一面には各上部回動軸１２４，１２４，…が固定されている。可動バー１２３の前記一側面と対向する他側面の中央には歯１２６が突設されている。歯１２６は後述する可動機構６０の歯車６３と噛合している。
【０１０２】
可動機構６０は、調光部２０によって正回転又は負回転が制御される駆動モータ６１と、駆動モータ６１の回転を低速回転に変速するギアボックス６２と、ギアボックス６２を介して伝動される歯車６３とを備えている。駆動モータ６１の回転はギアボックス６２によって低速に変速されて歯車６３に伝動されるので、歯車６３は低速で回動し、可動バー１２３を収容部１２の底１２１の長手方向、つまり左右方向に移動される。
【０１０３】
つまり、調光部２０によって駆動モータ６１が回転し、駆動モータ６１の回転によって可動バー１２３が移動し、可動バー１２３の移動によって各回動部材１２２，１２２…が下部回動軸１２５を中心に回動される。従って、各回動部材１２２，１２２…に取り付けられた光源モジュール１０Ａ，１０Ｂ，１０Ｃ，…１０Ｊ，１０Ｋ，１０Ｌの向きを左右方向（時計回り方向又は反時計回り方向）に変える調節することが出来る。
【０１０４】
図１３は本発明の実施の形態４に係る照明装置１のＣＰＵの処理手順を示すフローチャートである。
【０１０５】
まず、ＣＰＵは電源オン指示を取得したか否かを判定する（Ｓ４０１）。ＣＰＵは電源オン指示を取得していないと判定した場合（Ｓ４０１：ＮＯ）、前記指示を取得するまで待つ。一方、ＣＰＵは電源オン指示を取得したと判定した場合（Ｓ４０１：ＹＥＳ）、計時部３０に現時刻の計時を指示する（Ｓ４０２）。
【０１０６】
次いでＣＰＵは、計時部３０による計時結果に基づき、現時刻が６時以降８時前であるか否かを判定する（Ｓ４０３）。ＣＰＵは現時刻が６時以降８時前でないと判定した場合（Ｓ４０３：ＮＯ）、Ｓ４０６に進む。一方、ＣＰＵは現時刻が６時以降８時前であると判定した場合（Ｓ４０３：ＹＥＳ）、各光源モジュール１０Ａ，１０Ｂ，１０Ｃ，…１０Ｊ，１０Ｋ，１０Ｌの向き（つまり、照射領域）を並設方向に変える光源調整を行う（Ｓ４０４）。光源１０の光源制御は、各光源モジュール１０Ａ，１０Ｂ，１０Ｃ，…１０Ｊ，１０Ｋ，１０Ｌを白色に点灯させると共に、各光源モジュール１０Ａ，１０Ｂ，１０Ｃ，…１０Ｊ，１０Ｋ，１０Ｌを反時計回り方向に例えば４５度回転させるように調光部２０に指示することにより行われる。ＣＰＵの指示に従い、調光部２０は駆動モータ６１を回転させ、各光源モジュール１０Ａ，１０Ｂ，１０Ｃ，…１０Ｊ，１０Ｋ，１０Ｌの向きを反時計回り方向に４５度回転させる。
【０１０７】
従って、側壁ＲＳの下部及び側壁ＲＳ側の底壁Ｃのみが明るくなり、前述したように、東方向から朝日の日差しが入射する風景を演出することが出来る。
【０１０８】
次いで、ＣＰＵは、光源１０の色温度の制御を行い（Ｓ４０５）、光源１０の色温度の制御は、各光源モジュール１０Ａ，１０Ｂ，１０Ｃ，…１０Ｊ，１０Ｋ，１０Ｌの色温度を例えば５０００Ｋに調整する。
【０１０９】
一方、Ｓ４０３にてＣＰＵが現時刻を６時以降８時前でないと判定した場合は、現時刻が８時以降１６時前であるか否かを判定する（Ｓ４０６）。ＣＰＵは現時刻が８時以降１６時前でないと判定した場合（Ｓ４０６：ＮＯ）、Ｓ４０９に進む。一方、ＣＰＵは現時刻が８時以降１６時前であると判定した場合（Ｓ４０６：ＹＥＳ）、各光源モジュール１０Ａ，１０Ｂ，１０Ｃ，…１０Ｊ，１０Ｋ，１０Ｌの向き（つまり、照射領域）を並設方向に変える光源調整を行う（Ｓ４０７）。光源１０の光源調整は、各光源モジュール１０Ａ，１０Ｂ，１０Ｃ，…１０Ｊ，１０Ｋ，１０Ｌの向きを時計回り方向に例えば４５度と回転させるように調光部２０に指示することにより行われる。ＣＰＵの指示に従い、調光部２０は駆動モータ６１を反対回転させ、各光源モジュール１０Ａ，１０Ｂ，１０Ｃ，…１０Ｊ，１０Ｋ，１０Ｌの向きを時計回り方向に４５度回転させ、各光源モジュール１０Ａ，１０Ｂ，１０Ｃ，…１０Ｊ，１０Ｋ，１０Ｌは真下方向を照射することとなる。
【０１１０】
従って、前記部屋に対して太陽が南方向、つまり擬似窓ＩＷの正面方向に位置する時刻が８時以降１６時前の間の場合には、側壁ＬＳ及び側壁ＲＳによる影が生じることなく、擬似窓ＩＷを通じて日差しが入っていることを演出することが出来る。
【０１１１】
次いで、ＣＰＵは、光源１０の色温度の制御を行い（Ｓ４０８）、各光源モジュール１０Ａ，１０Ｂ，１０Ｃ，…１０Ｊ，１０Ｋ，１０Ｌの色温度を６時以降８時前の場合の５０００Ｋに比べて少し明るい例えば６８００Ｋにする。従って、現時点が昼であることを演出することが出来る。
【０１１２】
一方、Ｓ４０６にてＣＰＵが現時刻を８時以降１６時前でないと判定した場合は、現時刻が１６時以降１８時前であるか否かを判定する（Ｓ４０９）。ＣＰＵは現時刻が１６時以降１８時前でないと判定した場合（Ｓ４０９：ＮＯ）、Ｓ４１２に進む。一方、ＣＰＵは現時刻が１６時以降１８時前であると判定した場合（Ｓ４０９：ＹＥＳ）、各光源モジュール１０Ａ，１０Ｂ，１０Ｃ，…１０Ｊ，１０Ｋ，１０Ｌの向き（つまり、照射領域）を並設方向に変える光源調整を行う（Ｓ４１０）。光源１０の光源調整は、各光源モジュール１０Ａ，１０Ｂ，１０Ｃ，…１０Ｊ，１０Ｋ，１０Ｌの向きを時計回り方向に例えば４５度と回転させるように調光部２０に指示することにより行われる。ＣＰＵの指示に従い、調光部２０は駆動モータ６１を反対回転させ、各光源モジュール１０Ａ，１０Ｂ，１０Ｃ，…１０Ｊ，１０Ｋ，１０Ｌの向きを時計回り方向に４５度回転させる。
【０１１３】
次いで、ＣＰＵは、光源１０の色温度の制御を行い（Ｓ４１１）、各光源モジュール１０Ａ，１０Ｂ，１０Ｃ，…１０Ｊ，１０Ｋ，１０Ｌの色温度を６時以降８時前の場合の５０００Ｋに比べて少し明るい例えば２８００Ｋにする。従って、現時点が昼であることを演出することが出来る。
【０１１４】
従って、側壁ＬＳの下部及び側壁ＬＳ側の底壁Ｃのみが明るくなり、前述したように、西方向から夕方の日差しが入射する風景を演出することが出来る。
【０１１５】
一方、ＣＰＵが現時刻を１６時以降１８時前でないと判定した場合（Ｓ４０９：ＮＯ）、ＣＰＵはＳ４１２に進み、光源１０を消灯させるように調光部２０に指示する。ＣＰＵの指示に従って、調光部２０は光源１０を消灯させる。従って、前記部屋の室内照明にのみよって暗く写真Ｆが照明され、現時点が夜であることを演出する。
【０１１６】
Ｓ４０５、Ｓ４０８、Ｓ４１１又はＳ４１２の何れかの処理が終了した場合、ＣＰＵは電源オフ指示を取得したか否かを判定する（Ｓ４１３）。ＣＰＵは電源オフ指示を取得していないと判定した場合（Ｓ４１３：ＮＯ）、Ｓ４０２に戻る。一方、電源オフ指示を取得したと判定した場合（Ｓ４１３：ＹＥＳ）、処理を終了する。
【０１１７】
実施の形態４においては、複数の光源モジュール１０Ａ，１０Ｂ，１０Ｃ，…１０Ｊ，１０Ｋ，１０Ｌの向き操作が一律的に行われる場合について説明したがこれに限るものではない。例えば、光源モジュール毎に回動機構６０を設け、光源モジュール毎に向き操作ができるように構成しても良い。
【０１１８】
以上の実施の形態の説明において、光源の照射領域、照射方向、色温度、点灯状態、光色を照明環境としたが、これに限定されずに他の要素であってもよい。なお、点灯状態とは、上述したような光源の点灯・消灯状態の切り替えに限定されず、光源の輝度の強さの変化でもよい。光源の輝度の変化でも周囲の環境の時間的変化は表現できる。
【０１１９】
また、光源の制御は上述した時間（６時・８時・１６時・１８時）に限定されない。照明装置の設置される場所や季節を勘案して調整されていてもよい。
【０１２０】
さらに、壁面に絵画等の静止画が嵌めこまれた場合を例示して説明したが、液晶ディスプレイ等の表示部がはめ込まれていても良い。表示部に映される風景等の画像（静止画・動画）に応じて、照明装置の照明環境を制御することにより、窓の雰囲気を醸し出す効果を得ることが可能となる。
【０１２１】
特に、表示部に映し出される動画も時刻に対応して変化し、その動画の変化に対応して照明装置の照明環境を制御することにより、様々な場所の屋外の環境を室内の人に感じさせることが可能となる。
【図面の簡単な説明】
【０１２２】
【図１】本発明の実施の形態１に係る照明装置が設置された場合を例示する例示図である。
【図２】本発明の実施の形態１に係る照明装置が設置された状態を示す図である。
【図３】本発明の実施の形態１に係る照明装置の一部を省略して示す斜視図である。
【図４】本発明の実施の形態１に係る照明装置の配光曲線を示す図である。
【図５】本発明の実施の形態１に係る照明装置の要部構成を示すブロック図である。
【図６】本発明の実施の形態１に係る照明装置のＣＰＵの処理手順を示すフローチャートである。
【図７】Ｓ１０４におけるＣＰＵの点灯制御結果を示す図である。
【図８】Ｓ１０７におけるＣＰＵの点灯制御結果を示す図である。
【図９】Ｓ１１０におけるＣＰＵの点灯制御結果を示す図である。
【図１０】本発明の実施の形態２に係る照明装置のＣＰＵの処理手順を示すフローチャートである。
【図１１】本発明の実施の形態３に係る照明装置のＣＰＵの処理手順を示すフローチャートである。
【図１２】本発明の実施の形態４に係る照明装置の光源の向き操作を説明するための一部省略した説明図である。
【図１３】本発明の実施の形態４に係る照明装置のＣＰＵの処理手順を示すフローチャートである。
【符号の説明】
【０１２３】
１  照明装置
２  ツマミ
１０  光源
１０Ａ，１０Ｂ，１０Ｃ，１０Ｄ，１０Ｅ，１０Ｆ，１０Ｇ，１０Ｈ，１０Ｉ，１０Ｊ，１０Ｋ，１０Ｌ  光源モジュール
３０  計時部
４０  制御部
５０  回動機構
１０１  ＬＥＤ
【図１】
0005137493.tif 000002
【図２】
0005137493.tif 000003
【図３】
0005137493.tif 000004
【図４】
0005137493.tif 000005
【図５】
0005137493.tif 000006
【図６】
0005137493.tif 000007
【図７】
0005137493.tif 000008
【図８】
0005137493.tif 000009
【図９】
0005137493.tif 000010
【図１０】
0005137493.tif 000011
【図１１】
0005137493.tif 000012
【図１２】
0005137493.tif 000013
【図１３】
0005137493.tif 000014